(57)【要約】【課題】引戸本体が移動する面を平坦にして高齢者や子供など運動神経の働きが不十分な人が凹凸に爪先を引っ掛けて転倒する事故を防止し、しかも外部に対する防風・防水を十分に行う引戸構造を提供する。【解決手段】断面略コ字状の下枠１ａの上面に引戸本体３のガイド４を挿入するスリット２を形成し、同スリット２の下方にガイド４と摺接し且つ下枠１ａ面下方の空間を開放側と非開放側とに区画する隔壁６を設け、ガイド４の側面に水平リブ５をスリット２を覆うように下枠１ａ面と略面一の高さに設けた。【選択図】　　　　　図３
2004143821.tif 000002
【特許請求の範囲】
【請求項１】
建物の開口部に建具枠を設け、同建具枠の下枠一側面を外部に開放させて上面が平坦な断面略コ字状の形状とし、下枠に引戸本体の移動方向に沿って下枠面下方の空間に貫通する一本のスリットを設け、同スリットの対向する両側の下枠面上に戸車で走行する複数体の引戸本体をそれぞれ配置し、同各引戸本体のスリット側下部に長いガイドを引戸本体の幅に渡ってそれぞれ垂設し、同各ガイドをスリットに挿入して各引戸本体がスリットに沿って下枠面上を走行できるようにした引戸構造であって、前記スリットに各ガイドの下部側面と摺接し且つ下枠面下方の空間を開放側と非開放側とに区画する隔壁をスリットの中心線に沿って設け、開口部を閉めた状態でガイドと同ガイドと摺接する隔壁とによって外部から引戸本体へ吹き込んだ水風が建具枠の反対側へ侵入するのを防止するとともに下枠開放側から侵入した水風をガイドと隔壁とで遮断できるようにしたことを特徴とする引戸構造。
【請求項２】
下枠開放側の引戸本体のガイドの下枠非開放側側面に水平なリブをスリットを覆うように下枠面上と略面一の高さに設けた請求項１記載の引戸構造。
【請求項３】
各ガイドのスリットと反対側の側面に突起をそれぞれ設け、開口部を閉めた状態で前記突起と接して各ガイドを隔壁に押し付ける押付片を下枠面の裏側にそれぞれ設け、開口部を閉めた状態で各ガイドを隔壁に密接させて水風の侵入をより確実に遮断できるようにした請求項１又は２記載の引戸構造。
【請求項４】
ガイドと隔壁との間及びガイドと下枠のスリット側端部との間に弾性を有するシール部材を設け、ガイド側面からの水風の侵入及び引戸本体の横ぶれをより確実に防止できるようにした請求項１〜３いずれかに記載の引戸構造。
【請求項５】
隔壁に貫通する排水口を設け、同排水口の下枠開放側に排水口を開閉可能に閉塞する弾性を有する逆止弁を設け、下枠面下方に侵入した水風を逆止弁で遮断するとともに下枠非開放側の空間に侵入貯溜した水をその水頭圧で排水口から排水できるようにした請求項１〜４いずれかに記載の引戸構造。
【請求項６】
開口部を閉めた状態の各引戸本体が重合する召し合わせ部が、各引戸本体の対向する側面に互いに嵌合する先細り状の嵌合突起を引戸本体の高さ方向に渡ってそれぞれ設け、同各嵌合突起と各引戸本体側面の間に対向する引戸本体の嵌合突起が嵌入する嵌入溝を引戸本体の高さ方向に渡ってそれぞれ設けたもので、開口部を閉めた状態で召し合わせ部から水風が侵入しないようにした請求項１〜５いずれかに記載の引戸構造。
【請求項７】
下枠開放側の引戸本体の嵌合突起の対向する引戸本体側面と接する面に弾性シートを嵌合突起から張り出すように高さ方向に渡って設け、開口部を閉めた状態で外部からの風圧により弾性シートの張り出し部分を変形させて嵌合突起と対向する引戸本体側面の間の隙間を閉塞できるようにした請求項６記載の引戸構造。
【請求項８】
開口部を閉めた状態の召し合わせ部下方に位置する隔壁の上端部分に傾斜面を有する突起を設け、同突起と当接する斜めの切欠きを召し合わせ部の下端に形成し、開口部を閉めた状態の前記突起と切欠きの間に隙間を埋める密閉材を設け、召し合わせ部下方の密閉性を向上させてスリットから侵入した水風を遮断できるようにした請求項６又は７記載の引戸構造。
【請求項９】
下枠面の左右端の一部を開口して引戸本体側端と密接させる弾性を有する戸当り部材を前記下枠面の開口を通じて下枠面下方に達するように建具枠の縦枠に沿って設け、開口部を閉めた状態で引戸本体側端の密閉性を向上できるようにした請求項１〜８いずれかに記載の引戸構造。
【請求項１０】
下枠の非開放側上面に引戸本体の走行方向に沿って凹条を設け、同凹条に下枠面下方の空間に貫通する水抜き穴を複数設け、下枠面上に侵入した水及び引戸本体に付着して滴下した結露水を下枠面下方の空間に排水させるようにした請求項１〜９いずれかに記載の引戸構造。
【発明の詳細な説明】
【０００１】
【発明の属する技術分野】
本発明は、引戸本体が移動する面を平坦にしたバリアフリーの引戸構造に関し、詳しくは外部に対する防風・防水を十分に行えるようにする技術に関する。
【０００２】
【従来の技術】
従来、ベランダを備えた建物において、室内からベランダに出入りする場合に従来の外部用引違いサッシの敷居は水切勾配が急で建具用レールが突出しており、足が引っ掛かり易く且つ掃除の手間を要する問題があった。そこで、引戸本体が移動する下枠面を平坦にしたいわゆるバリアフリーの引戸構造が考案され、凹凸や段差を解消するため下枠面に細長いスリットを形成し、引戸本体の下端に垂設したガイドを前記スリットに挿入して移動できるようにしている。
ところで、このスリットは水風を下方に排出できるようにスリットの底部を開放させているが、逆にこの開放部分から侵入した水風がスリットを通じて対向側に吹き込む問題があり、バリアフリーの引戸構造を保持しながら水風の侵入をどのように防止するかが課題となっている。
【０００３】
【発明が解決しようとする課題】
本発明が解決しようとする課題は、従来のこれらの問題点を解消し、引戸本体が移動する面を平坦にして高齢者や子供など運動神経の働きが不十分な人が凹凸に爪先を引っ掛けて転倒する事故を防止でき、しかも外部に対する防風・防水を十分に行えるようにした引戸構造を提供することにある。
【０００４】
【課題を解決するための手段】
かかる課題を解決した本発明の構成は、
１）　建物の開口部に建具枠を設け、同建具枠の下枠一側面を外部に開放させて上面が平坦な断面略コ字状の形状とし、下枠に引戸本体の移動方向に沿って下枠面下方の空間に貫通する一本のスリットを設け、同スリットの対向する両側の下枠面上に戸車で走行する複数体の引戸本体をそれぞれ配置し、同各引戸本体のスリット側下部に長いガイドを引戸本体の幅に渡ってそれぞれ垂設し、同各ガイドをスリットに挿入して各引戸本体がスリットに沿って下枠面上を走行できるようにした引戸構造であって、前記スリットに各ガイドの下部側面と摺接し且つ下枠面下方の空間を開放側と非開放側とに区画する隔壁をスリットの中心線に沿って設け、開口部を閉めた状態でガイドと同ガイドと摺接する隔壁とによって外部から引戸本体へ吹き込んだ水風が建具枠の反対側へ侵入するのを防止するとともに下枠開放側から侵入した水風をガイドと隔壁とで遮断できるようにしたことを特徴とする引戸構造
２）　下枠開放側の引戸本体のガイドの下枠非開放側側面に水平なリブをスリットを覆うように下枠面上と略面一の高さに設けた前記１）記載の引戸構造
３）　各ガイドのスリットと反対側の側面に突起をそれぞれ設け、開口部を閉めた状態で前記突起と接して各ガイドを隔壁に押し付ける押付片を下枠面の裏側にそれぞれ設け、開口部を閉めた状態で各ガイドを隔壁に密接させて水風の侵入をより確実に遮断できるようにした前記１）又は２）記載の引戸構造
４）　ガイドと隔壁との間及びガイドと下枠のスリット側端部との間に弾性を有するシール部材を設け、ガイド側面からの水風の侵入及び引戸本体の横ぶれをより確実に防止できるようにした前記１）〜３）いずれかに記載の引戸構造
５）　隔壁に貫通する排水口を設け、同排水口の下枠開放側に排水口を開閉可能に閉塞する弾性を有する逆止弁を設け、下枠面下方に侵入した水風を逆止弁で遮断するとともに下枠非開放側の空間に侵入貯溜した水をその水頭圧で排水口から排水できるようにした前記１）〜４）いずれかに記載の引戸構造
６）　開口部を閉めた状態の各引戸本体が重合する召し合わせ部が、各引戸本体の対向する側面に互いに嵌合する先細り状の嵌合突起を引戸本体の高さ方向に渡ってそれぞれ設け、同各嵌合突起と各引戸本体側面の間に対向する引戸本体の嵌合突起が嵌入する嵌入溝を引戸本体の高さ方向に渡ってそれぞれ設けたもので、開口部を閉めた状態で召し合わせ部から水風が侵入しないようにした前記１）〜５）いずれかに記載の引戸構造
７）　下枠開放側の引戸本体の嵌合突起の対向する引戸本体側面と接する面に弾性シートを嵌合突起から張り出すように高さ方向に渡って設け、開口部を閉めた状態で外部からの風圧により弾性シートの張り出し部分を変形させて嵌合突起と対向する引戸本体側面の間の隙間を閉塞できるようにした前記６）記載の引戸構造
８）　開口部を閉めた状態の召し合わせ部下方に位置する隔壁の上端部分に傾斜面を有する突起を設け、同突起と当接する斜めの切欠きを召し合わせ部の下端に形成し、開口部を閉めた状態の前記突起と切欠きの間に隙間を埋める密閉材を設け、召し合わせ部下方の密閉性を向上させてスリットから侵入した水風を遮断できるようにした前記６）又は７）記載の引戸構造
９）　下枠面の左右端の一部を開口して引戸本体側端と密接させる弾性を有する戸当り部材を前記下枠面の開口を通じて下枠面下方に達するように建具枠の縦枠に沿って設け、開口部を閉めた状態で引戸本体側端の密閉性を向上できるようにした前記１）〜８）いずれかに記載の引戸構造
１０）　下枠の非開放側上面に引戸本体の走行方向に沿って凹条を設け、同凹条に下枠面下方の空間に貫通する水抜き穴を複数設け、下枠面上に侵入した水及び引戸本体に付着して滴下した結露水を下枠面下方の空間に排水させるようにした前記１）〜９）いずれかに記載の引戸構造
にある。
【０００５】
【作用】
本発明によれば、引戸本体が移動する下枠面が細長い一本のスリット以外平坦であるから、高齢者や子供など運動神経の働きが不十分な人でもつまづき難く安全性を確保できるとともに意匠性が向上し、しかも引戸本体の閉止時に各ガイドの側面が隔壁と下枠のスリット側端部と常時接しているから、外部から侵入した水風が遮断される。
【０００６】
【発明の実施の形態】
本発明の各ガイドには、スリットの反対側の側面に突起をそれぞれ設け、開口部を閉めた状態で前記突起と接して各ガイドを隔壁に押し付ける押付片を下枠面の裏側にそれぞれ設けると、開口部を閉めた状態で各ガイドが隔壁に密接して水風の侵入をより確実に遮断できる。また、ガイドと隔壁との間及びガイドと下枠のスリット側端部との間に隙間を埋めるゴム等からなるシール部材を設けると、密閉性がより向上してガイド側面からの水風の侵入及び引戸本体の横ぶれをより確実に防止できるので好ましい。
隔壁に貫通する排水口を設け、同排水口の下枠開放側に排水口を開閉可能に閉塞するゴム等の弾性を有する逆止弁を設けると、下枠面下方に侵入した水風を逆止弁で遮断するとともに下枠の非開放側に侵入貯溜した結露水等をその水頭圧で排水口から排水できる。
召し合わせ部には傾斜面を有した互いが建具の閉止と同時に密着して嵌合できる断面略Ｖ字状等の嵌合突起と嵌入溝を引戸本体の高さ方向に渡って形成すると、召し合わせ部からの雨風の侵入を遮断できる。また、下枠開放側の嵌合突起の対向する引戸本体側面と接する面にゴム等の弾性シートを引戸本体から張り出すように高さ方向に沿って設けると、風圧で弾性シートの張り出し部分が変形して嵌合突起と対向する引戸本体側面の間の隙間を閉塞し、密閉性をより向上できて好ましい。さらに、開口部を閉めた状態の召し合わせ部下方に位置する隔壁上端に傾斜面を有する突起を設け、召し合わせ部の下端に前記突起と当接する斜めの切欠きを設け、開口部を閉めた状態の切欠きと突起の間にゴム等の弾性を有する密閉材を隙間を埋めるように設けると、召し合わせ部下方の密閉性を向上できて好ましい。
下枠面の左右端にはその一部を開口して引戸本体側端と密接させる弾性を有する戸当り部材を前記下枠面の開口を通じて下枠面下方に達するように建具枠の縦枠に沿って設けると、開口部を閉めた状態で引戸本体側端の密閉性を向上できる。
下枠の非開放側上面には引戸本体の走行方向に沿って凹条を設け、同凹条に下枠面下方の空間に貫通するスリット状の水抜き穴を複数設けると、下枠面上に侵入した水及び引戸本体に付着して滴下した結露水を下枠面下方の空間に排水できて好ましい。
本発明の引戸構造は、サッシ戸や雨戸、玄関、窓、浴室引戸等に好適に使用できる。
【０００７】
以下、本発明の実施例を図面に基づいて具体的に説明する。
【０００８】
【実施例】
図１〜１２に示す実施例は、本発明の構成を住宅のバリアフリー構造のサッシ戸に適用した引戸構造の例である。
図１は、実施例のサッシ戸の正面図である。
図２は、図１のＡ−Ａ断面図である。
図３は、図２のＡ−Ａ断面図である。
図４は、図２のＢ−Ｂ断面図である。
図５は、図２のＣ−Ｃ断面図である。
図６は、実施例の召し合わせ部の説明図である。
図７は、実施例の召し合わせ部の側面図である。
図８は、実施例の押付手段の説明図である。
図９は、実施例の押付手段による水風の侵入防止を示す説明図である。
図１０は、実施例の召し合わせ部の密閉を示す説明図である。
図１１は、実施例の下枠面下部の水風の侵入防止と排水を示す説明図である。
図１２は、実施例の水抜き穴の排水を示す説明図である。
【０００９】
図中、１は建具枠であって、建物の開口部に下枠１ａ，縦枠１ｂ，上枠１ｃをそれぞれ取り付け、下枠１ａは屋外側を長手方向に沿って開放させた断面略コ字状で、上面を平坦な形状に形成している。また、ゴム製の戸当り部材１ｄを縦枠１ｂ側面に沿って設け、開口部を閉めた状態で引戸本体３側端と縦枠１ｂ間の隙間をシールして密閉性を向上できるようにしている。さらに、下枠１ａ面には引戸本体の移動方向に沿って足がつまずかない程度の膨らみからなる戸車の凹面に副う凸条１ｅを形成し、戸車が所定位置を走行し易くするとともに下枠１ａ面上の残留水が表面張力で分溜しながら下枠１ａ面の両側に流出するようにしている。下枠１ａの屋内側には足がつまずかない程度の凹条１ｆをスリットと並行に形成し、同凹条１ｆに下枠１ａ下方の空間に通じる長さ１０ｃｍ程のスリット状の水抜き穴１ｇを所定間隔おいて適当箇所形成し、引戸本体に生じた結露水や吹き込んだ水を排水させるようにしている。１ｈは網戸の走行方向を決めるスリット、１ｉはスリット１ｈ内に貯溜した水を排水させる水抜き穴である。
２はスリットであって、下枠１ａに引戸本体の移動方向に沿って下方の空間に貫通するように形成している。
３は引戸本体であって、サッシ３ａ間にガラス窓３ｂを設けるとともに下部両端に戸車３ｃを軸支し、スリット２の対向する両側の下枠１ａ上面にそれぞれ配置している。
４はガイドであって、細長い板状の部材からなり、各引戸本体３の対向する側面下部に引戸本体３の幅方向に渡ってサッシ３ａと一体的に設け、同各ガイド４をスリット２に挿入することにより引戸本体３がスリット２に沿って下枠１ａ上面を走行できるようにしている。
５は水平リブであって、細長い板状の部材で、下枠１ａ開放側の引戸本体３のガイド４の下枠１ａ非開放側側面にスリット２を覆うように下枠１ａ面と略面一となる高さに取り付けている。
６は隔壁であって、断面略Ｔ字状の部材で、下枠１ａ面下方の空間を開放側と非開放側とに区画するとともに上端が水平リブ５より低くなるようにスリット２の長手方向に渡って立設している。６ａは排水口であって、屋内側から結露等によって貯溜された水をその水頭圧で屋外側に排水できるようにしている。６ｂは逆止弁であって、板状のゴム製からなり、隔壁６の屋外側に排水口６ａを通常時は閉塞するように開閉可能に設けている。
７は突起であって、傾斜面を形成した略三角形状で、各ガイド４のスリット２と反対側の側面に傾斜面を閉止方向に向けてそれぞれ取り付けている。
８は押付片であって、下枠１ａ面の裏側に各引戸本体３の閉止時に各ガイド４の側面に設けた突起７と接する位置にガイド４と押圧片の間隙が突起７の突出寸法より小となるように取り付けている。
９は遮蔽シートであって、板状のゴム製からなり、下枠１ａのスリット２側各端部と隔壁６の上両側部に取り付け、スリット２内を摺動するガイド４側面と隔壁６と下枠１ａとの隙間を変形で閉塞できるようにしている。
１０は召し合わせ部であって、開口部閉鎖時の対向するサッシ３ａ同士が重合する面に互いが嵌合する断面略Ｖ字状の嵌合突起１０ａと嵌入溝１０ｂをサッシ３ａの高さ方向に渡ってそれぞれ設け、屋外側の嵌合突起１０ａの対向する引戸本体３側面と接する面に弾性シート１０ｃを嵌合突起１０ａから張り出すように嵌合突起１０ａの高さ方向に渡って貼設し、外部からの風圧で変形して屋内側のサッシ３ａとの隙間を閉塞できるようにしている。また、屋外側の嵌合突起１０ａの近傍にはゴム製の弾性体１０ｄをサッシ３ａの高さ方向に渡って設け、下端は斜めの切欠き１０ｅを形成するとともに隔壁６の上端に傾斜面を有する突部１０ｆを設け、ゴム製の密閉材１０ｇを介して召し合わせ部１０下方の密閉性を向上できるようにしている。
１１は網戸、１１ａは網戸のガイド、Ｗは水である。
【００１０】
本実施例では、各引戸本体３を左右に可動させると、各ガイド４がスリット２内を摺動して下枠１ａの上面を走行する。下枠１ａの上面は平坦でしかも水平リブ５の高さが下枠１ａ面と僅差であるから、高齢者や子供など運動神経の働きが不十分な人でも爪先をスリット２に引っ掛けたりすることなく安全に歩行でき、また車椅子も円滑に走行できる。
図３〜５，図１０〜１２では左側を屋外、右側を屋内としている。ここで、引戸本体３を可動させて開口部を閉めると、図９（ａ），（ｂ）に示すように突起７が押付片８と当接してガイド４が隔壁６に押し付けられて密接し、引戸本体３の下方に侵入した雨風を各ガイド４と隔壁６で確実に遮断する。
遮断された雨風は下枠１ａの下方で巻き上げられ、対向する引戸本体３側の下方に侵入しようとする。しかし、図１１（ａ）に示すように逆止弁６ｂが風圧で隔壁６へ押し付けられて排水口６ａを閉塞することにより侵入が防止される。
召し合わせ部１０では、図１０に示すように嵌合突起１０ａ同士が対向する嵌入溝１０ｂにそれぞれ嵌合して弾性シート１０ｃにより密接され、召し合わせ部１０からの雨風の侵入が遮断される。しかも、強風等により風が弾性体１０ｄを通過してもその風圧により弾性シート１０ｃの張り出し部分が変形して嵌合突起１０ａと対向側のサッシ３ａ側面との間の隙間が完全に密閉され、雨風の侵入がより効果的に遮断される。
また、図１１（ｂ）に示すように引戸本体３の屋内側面に結露が生じてそのしずくが下方に流れ、スリット２を通じて下枠１ａの屋内側下方に溜まることがある。しかし、水頭圧により逆止弁６ｂが変形して排水口６ａを通じて外方へ排水される。
さらに、図１２に示すように前記と同じく引戸本体３の屋内側面に結露が生じてそのしずくが下枠１ａ面上に溜まることがある。しかし、しずくは下枠１ａ面に形成した凹条１ｆに案内され、水抜き穴１ｇで下枠１ａ面下方の空間に排水される。
【００１１】
図１３に示すのは、引戸本体側端の密閉手段の他の例である。
図１３は、実施例の他の例の引戸本体側端部分の横断面図である。
図中、１ｊは金属片をＬ字状に折曲したバネからなる戸当り部材で、サッシ３ａ側端の高さ方向に渡って取り付けている。
実施例の他の例では、引戸本体３を閉止すると戸当り部材１ｊの折曲部分が縦枠１ｂと当接して若干変形し、召し合わせ部１０の図示しない旋錠手段で旋錠することで戸当り部材１ｊの折曲部分が縦枠１ｂと密接して引戸本体側端を密閉する。
その他、符号、構成、作用効果は実施例の引戸構造と同じである。
【００１２】
図１４に示すのは、実施例において、上枠のガイドに防水シートを設けて引戸本体の上方からの雨水の侵入を防止できるようにした例である。
図１４は、実施例の他の例の引戸構造の断面図である。
図中、１ｋはガイド、３ｄはガイドが挿入されるスリット、１２はゴム製の防水シートである。
この実施例の他の例では、上枠１ｃのガイド１ｋの屋外側に沿って防水シート１２をＬ字状で折曲して吊設している。開口部を閉止後、屋外側から雨水が吹き込むと、防水シート１２が引戸本体３上端に押し付けられて密接し、雨水の侵入が遮断される。
その他、符号、構成、作用効果は実施例の引戸構造と同じである。
【００１３】
【発明の効果】
以上説明したように、本発明によれば敷居の水勾配をなくして平面としたから敷居面から突出物がなくなり人がつまずくことがないとともに掃除の手間も省略でき、しかもベランダは従来から室内床高より一段下がっており、ベランダに室内床高と同じ高さの簀子板などを設置すれば幼児・老人・障害者・車椅子のベランダへの出入りが極めて容易となり、さらに外部に防風・防水を十分に行える。
【図面の簡単な説明】
【図１】実施例のサッシ戸の正面図である。
【図２】図１のＡ−Ａ断面図である。
【図３】図２のＡ−Ａ断面図である。
【図４】図２のＢ−Ｂ断面図である。
【図５】図２のＣ−Ｃ断面図である。
【図６】実施例の召し合わせ部の説明図である。
【図７】実施例の召し合わせ部の側面図である。
【図８】実施例の押付手段の説明図である。
【図９】実施例の押付手段による水風の侵入防止を示す説明図である。
【図１０】実施例の召し合わせ部の密閉を示す説明図である。
【図１１】実施例の下枠面の下部の水風の侵入防止と排水を示す説明図である。
【図１２】実施例の水抜き穴の排水を示す説明図である。
【図１３】実施例の他の例の引戸本体側端部分の横断面図である。
【図１４】実施例の他の例の引戸構造の断面図である。
【符号の説明】
１　建具枠
１ａ　下枠
１ｂ　縦枠
１ｃ　上枠
１ｄ　戸当り部材
１ｅ　凸条
１ｆ　凹条
１ｇ　水抜き穴
１ｈ　スリット
１ｉ　水抜き穴
１ｊ　戸当り部材
１ｋ　ガイド
２　スリット
３　引戸本体
３ａ　サッシ
３ｂ　ガラス窓
３ｃ　戸車
３ｄ　スリット
４　ガイド
５　水平リブ
６　隔壁
６ａ　排水口
６ｂ　逆止弁
７　突起
８　押付片
９　遮蔽シート
１０　召し合わせ部
１０ａ　嵌合突起
１０ｂ　嵌入溝
１０ｃ　弾性シート
１０ｄ　弾性体
１０ｅ　切欠き
１０ｆ　突部
１０ｇ　密閉材
１１　網戸
１１ａ　ガイド
１２　防水シート
Ｗ　水
【図１】
2004143821.tif 000003
【図２】
2004143821.tif 000004
【図３】
2004143821.tif 000005
【図４】
2004143821.tif 000006
【図５】
2004143821.tif 000007
【図６】
2004143821.tif 000008
【図７】
2004143821.tif 000009
【図８】
2004143821.tif 000010
【図９】
2004143821.tif 000011
【図１０】
2004143821.tif 000012
【図１１】
2004143821.tif 000013
【図１２】
2004143821.tif 000014
【図１３】
2004143821.tif 000015
【図１４】
2004143821.tif 000016